(57)【要約】【課題】簡単なシステムで広告媒体から広告情報としての電子情報が容易に得られる広告媒体を得る。【解決手段】壁面若しくは車両内に装着可能な平面状媒体１０の表面に広告表示を行うとともに、赤外線信号を送信可能とする赤外線送信装置１１を設けて成り、前記赤外線送信装置１１は前記広告表示に関連する広告情報（ホームページアドレスや広告画像）が記録された読出しメモリを備えることで、赤外線通信ポートを有する携帯電話へ赤外線送信装置１１から広告情報を送信することで、広告媒体１の広告表示に関する電子的な広告情報を携帯電話側に容易に取り込むことができるようにする。【選択図】    図１
2005037873.tif 000002
【特許請求の範囲】
【請求項１】
壁面若しくは車両内に装着可能な平面状媒体の表面に広告表示を行うとともに、赤外線信号を送信可能とする赤外線送信装置を設けて成り、前記赤外線送信装置は前記広告表示に関連する広告情報が記録された読出しメモリを備えたことを特徴とする広告媒体。
【請求項２】
前記広告情報は、広告表示に関するホームページアドレスである請求項１に記載の広告媒体。
【請求項３】
前記広告情報は、広告表示に関連する画像情報である請求項１に記載の広告媒体。
【請求項４】
前記赤外線送信装置の発光部の指向角を１０〜３０度とした請求項１に記載の広告媒体。
【請求項５】
前記読出メモリを着脱自在な構成とした請求項１に記載の広告媒体。
【請求項６】
広告表示が行われる広告媒体と、赤外線通信ポートを有する携帯電話との間で信号の送受信を行う広告システムであって、
前記広告媒体は、壁面若しくは車両内に装着可能な平面状媒体と、赤外線信号を送信可能とする赤外線送信装置とを具備し、前記赤外線送信装置は前記広告表示に関連する広告情報が記録された読出しメモリを備える一方、
前記携帯電話は、前記赤外線送信装置への受信許諾信号を発し、該信号を受けた赤外線送信装置が携帯電話側へ送信した広告情報を記録する記録部を有する
ことを特徴とする広告システム。
【請求項７】
赤外線送信装置に個別のアドレスを有する通信手段を設け、該通信手段へ外部よりデータを転送することで、前記読出しメモリのデータを書き換えることを特徴とする請求項１に記載の広告媒体。
【請求項８】
赤外線信号を送信することで広告表示を行う広告用赤外線送信装置であって、
送信する広告情報が記録された読出しメモリと、個別のアドレスを有する通信手段とを備え、
該通信手段外部よりデータを転送することで、前記読出しメモリの広告情報を書き換え可能とする
ことを特徴とした広告用赤外線送信装置。
【請求項９】
卓上に設置可能な媒体の表面に広告表示を行うとともに、赤外線信号を送信可能とする赤外線送信装置を設けて成り、前記赤外線送信装置は前記広告表示に関連する広告情報が記録された読出しメモリを備えたことを特徴とする広告媒体。
【請求項１０】
任意の場所に設置可能とし、内部に赤外線信号を送信可能とする赤外線送信装置を設けて成り、前記赤外線送信装置は所望の広告表示に関連する広告情報が記録された読出しメモリを備えたことを特徴とする広告媒体。
【発明の詳細な説明】
【技術分野】
【０００１】
本発明は、例えば地下道等の壁面や電車やバス等の車両内に装着される広告媒体や自動販売機から広告情報が容易に得られる広告システム、この広告システムに使用されるポスター状の広告媒体、及び、広告用赤外線送信装置に関する。
【背景技術】
【０００２】
従来、地下道等の壁面や電車やバス等の車両内に装着される広告媒体は、視覚を通じて広告効果を発揮させるものである。一般的な広告媒体には、例えば商品の写真、商品のキャッチコピー及び商品説明とともに、商品の製造・販売会社のホームページアドレスを表示し、このホームページアドレスにアクセスすることで更に商品についての詳細な情報が得られる旨の表示が行われていた。
【０００３】
また、電車内で情報が得られるシステムとしては、ユーザーが持ち運びできる情報受信機（ＰＤＡ）を使用し、ユーザーが公共場所で瞬時に多種の情報を得られるシステム（ネットワーク）が提案されている。
このシステムによれば、情報受信機がコンピュータ・システムに情報請求が出来、そのコンピュータ・システムが請求のあった情報を離れた場所にあるデータベースから選び出し、その情報をコンピュータ・システム内に蓄積し、その情報の情報受信機への送信管理可能とするように構成されている（例えば、特許文献１参照）。
【特許文献１】特開２００２−０３３７５３号公報
【発明の開示】
【発明が解決しようとする課題】
【０００４】
しかしながら上記前者のような広告媒体では、表示されているホームページアドレスにアクセスする場合には、パソコンや携帯電話に表示されているホームページアドレスを入力する必要があり、ホームページアドレスを書きとめたり記憶する必要があり、煩雑であるという問題点があった。
また、上記後者のシステムによる場合には、新聞や雑誌の記事も送信できるものであるが公共施設などにインターフェスを設置する必要があり、システムが大掛かりになるという問題点があった。
【０００５】
本発明は上記実情に鑑みてなされたもので、簡単なシステムで広告媒体から広告情報としての電子情報が容易に得られる広告システム、この広告システムに使用される広告媒体、及び、広告用赤外線送信装置を提供することを目的とする。
【課題を解決するための手段】
【０００６】
上記目的を達成するため請求項１の広告媒体は、壁面若しくは車両内に装着可能な平面状媒体の表面に広告表示を行うとともに、赤外線信号を送信可能とする赤外線送信装置を設けて成り、前記赤外線送信装置は前記広告表示に関連する広告情報が記録された読出しメモリを備えたことを特徴としている。
【０００７】
請求項２は、請求項１の広告媒体において、前記広告情報は、広告表示に関するホームページアドレスであることを特徴としている。
【０００８】
請求項３は、請求項１の広告媒体において、前記広告情報は、広告表示に関連する画像情報であることを特徴としている。
【０００９】
請求項４は、請求項１の広告媒体において、前記赤外線送信装置の発光部の指向角を１０〜３０度としたことを特徴としている。
【００１０】
請求項５は、請求項１の広告媒体において、前記読出メモリを着脱自在な構成としたことを特徴としている。
【００１１】
請求項６は、広告表示が行われる広告媒体と、赤外線通信ポートを有する携帯電話との間で信号の送受信を行う広告システムであって、次の構成を含むことを特徴としている。
前記広告媒体は、壁面若しくは車両内に装着可能な平面状媒体と、赤外線信号を送信可能とする赤外線送信装置とを具備し、前記赤外線送信装置は前記広告表示に関連する広告情報が記録された読出しメモリを備えるものである。
前記携帯電話は、前記赤外線送信装置への受信許諾信号を発し、該信号を受けた赤外線送信装置が携帯電話側へ送信した広告情報を記録する記録部を有するものである。
【００１２】
請求項７は、請求項１の広告媒体において、赤外線送信装置に個別のアドレスを有する通信手段を設け、該通信手段へ外部よりデータを転送することで、前記読出しメモリのデータを書き換えることを特徴としている。
【００１３】
請求項８は、赤外線信号を送信することで広告表示を行う広告用赤外線送信装置であって、送信する広告情報が記録された読出しメモリと、個別のアドレスを有する通信手段とを備え、該通信手段へ外部よりデータを転送することで、前記読出しメモリの広告情報を書き換え可能とすることを特徴としている。
【００１４】
請求項９は、広告媒体であって、卓上に設置可能な媒体の表面に広告表示を行うとともに、赤外線信号を送信可能とする赤外線送信装置を設けて成り、前記赤外線送信装置は前記広告表示に関連する広告情報が記録された読出しメモリを備えたことを特徴としている。
【００１５】
請求項１０は、広告媒体であって、任意の場所に設置可能とし、内部に赤外線信号を送信可能とする赤外線送信装置を設けて成り、前記赤外線送信装置は所望の広告表示に関連する広告情報が記録された読出しメモリを備えたことを特徴としている。
【発明の効果】
【００１６】
本発明の広告媒体によれば、平面状媒体に装着された赤外線送信装置（広告用赤外線送信装置）には、広告表示に関連する広告情報が記録された読出しメモリが設けられ、この広告情報が赤外線信号として送信可能になっているので、赤外線通信ポートを有する携帯電話に対して容易に広告情報を送信することができる。
【００１７】
また、本発明の広告システムによれば、赤外線通信ポートを有する携帯電話は、赤外線送信装置への受信許諾信号を発し、該信号を受けた赤外線送信装置が携帯電話側へ送信した広告情報を記録部で記録することができるので、広告媒体の広告表示に関する電子的な広告情報（ホームページアドレス、画像情報等）を携帯電話側に容易に取り込み使用することができる。
【発明を実施するための最良の形態】
【００１８】
本発明の実施の形態の一例としての広告システムについて、図面を参照しながら説明する。
この広告システムは、図１及び図２に示されるように、広告表示が行われる広告媒体１と、赤外線通信ポート２１を有する携帯電話２とで構成され、両者の間で信号の送受信を行うようになっている。
広告媒体１は、例えば図３に示すように、地下鉄の車両内の上側面の壁部３０に装着された一対のＬ字形レール３１，３１に広告媒体１の上下縁部が挟まれることで壁面に固定されている。
【００１９】
広告媒体１は、壁面若しくは車両内に装着可能なポスター状の平面状媒体１０と、この平面状媒体１０の中央下側に装着され赤外線信号を送信可能とする赤外線送信装置（広告用赤外線送信装置）１１とで構成されている。
平面状媒体１０の表面には、商品の写真、商品のキャッチコピー及び商品説明が掲載されている。
【００２０】
赤外線送信装置（広告用赤外線送信装置）１１は、広告表示に関連する広告情報が記録されたＲＯＭ若しくはＲＡＭで構成された読出メモリ１２と、この読出メモリ１２に記憶された情報を赤外線信号として出力する発光部１３と、携帯電話２側からの赤外線信号を受光する受光部１４と、読出メモリ１２，発光部１３及び受光部１４を所定のプログラムに従って制御する制御部１５とから構成され、外観を平面体状としてその裏面を平面状媒体に両面テープ等（図示せず）で固定している。また、赤外線送信装置１１は内蔵された水銀電池等の電源（図示せず）により駆動するように構成されている。
【００２１】
読出メモリ１２には、一つ又は複数の広告情報が記録されている。広告情報は、例えば、商品の製造・販売会社のホームページアドレス、広告に関する画像情報が記憶されている。また、読出メモリ１２は、着脱自在且つ書換可能なメモリステック等で構成してもよい。
【００２２】
発光部１３は、携帯電話２側へ赤外線信号としての広告情報及び携帯電話２のディスプレイ部２２に広告選択画面を表示するためのメニュー画面表示信号を送信するものであり、広告媒体１を背にして赤外線が照射される円錐状範囲における頂角（指向角）が７０度以下、好ましくは１０〜３０度の範囲に赤外線信号が照射されるような指向性を有している。また、赤外線信号は例えば８５０〜９５０ｎｍの波長とし、３〜６ｍの範囲で受信できるような強度となっている。
【００２３】
前記した指向角は、広告媒体１の設置場所、受信可能な奥行、複数の広告媒体１同士について間隔を空けて並存させる場合等の事情を考慮して適宜値を設定すればよい。
指向角１０〜３０度の範囲に赤外線信号を照射するような指向性を持たせることにより、携帯電話２を持ったユーザーが広告媒体に対峙する場所に立つことで、赤外線送信装置１１の発光部１３から照射される赤外線信号の照射範囲内に携帯電話２を位置させることができ、また、広告媒体１が並存する場合の広告媒体同士の間隔を近づけることが可能となる。
【００２４】
受光部１４は、携帯電話２側から送信される赤外線信号としての受信許諾信号及び情報選択信号を受信するものであり、具体的には方形状の窓部として赤外線送信装置の前面に形成されている。
【００２５】
制御部１５は、携帯電話２側からの赤外線信号（受信許諾信号，情報選択信号）を受けて、読出メモリ１２から所望の広告情報を取り出し，赤外線信号として発光部１３から送信する作業を行うものである。
すなわち、携帯電話２側からの受信許諾信号を受けた場合には、発光部１３からメニュー画面表示信号を携帯電話２側へ送信し、携帯電話２側で選択することによって送信される情報選択信号を受けた場合には、読出メモリ１２から選択された広告情報を取り出して発光部１３から送信する。
【００２６】
携帯電話２は、ディスプレイ部２２の上方側面位置に窓部としての赤外線通信ポート２１が設けられるとともに、赤外線送信装置１１への受信許諾信号を発して、該信号を受けた赤外線送信装置１１が携帯電話２側へ送信した広告情報を記録する記録部を具備している。また、携帯電話２には、赤外線送信装置１１への受信許諾信号を送信するプログラム、及び、赤外線送信装置１１の発光部１３から送信されるメニュー画面表示信号を受信して広告情報選択画面を表示し、ユーザーが選択した広告情報に対応する情報選択信号を送信するプログラムが内蔵され、携帯電話２における所望のキー操作により赤外線信号での送信及び受信が可能となる赤外線モードに設定できるようになっている。
【００２７】
次に、上記広告システムにおける動作について、図４のフローチャート図を参照しながら説明ずる。
ユーザーが広告媒体１に対峙する位置に立ち、携帯電話２において所望のキー操作を行い、赤外線信号の送受信が可能となる赤外線モードに設定する。このキー操作は、ワンタッチで赤外線モードに設定できる専用の赤外線モード用押圧スイッチを設けてもよいし、携帯電話１における既存の操作キー２３を複数押圧することで設定できるようにしてもよい。
【００２８】
この赤外線モード設定時に、携帯電話２からは赤外線信号（受信許諾信号）が送信され、広告媒体１に装着した赤外線送信装置１１の受光部１４がこの信号を受信する。
この信号を受けた赤外線送信装置１１は、発光部１３から赤外線信号（メニュー画面表示信号）を送信し、携帯電話２の赤外線通信ポート２１がこの信号を受信する。
【００２９】
携帯電話２側では、メニュー画面表示信号を受けてディスプレイ部２２に広告情報選択画面を表示する。ディスプレイ部２２には、例えば図５に示されるように、ホームレジアドレス、広告画像等の選択枝５１が表示され、ユーザーはカーソルに移動で選択枝５１を選択した後に実行キー（携帯電話の所望の操作キー）を押圧することで、選択された広告情報に対応する情報選択信号が赤外線通信ポート２１から送信し、赤外線送信装置１１の受光部１４がこの信号を受信する。
【００３０】
赤外線送信装置１１側では、情報選択信号を受けて読出メモリ１２から選択された広告情報を取り出して発光部１３から赤外線信号として送信し、携帯電話２の赤外線通信ポート２１がこの信号を受信する。
【００３１】
携帯電話２側では、赤外線送信装置１１が携帯電話２側へ送信した広告情報（ホームページアドレス、広告画像）を記録する記録部を有しているので、記録された広告情報をディスプレイ部２２に表示させたり、画像の場合は壁紙として使用することが可能となる。
【００３２】
上述した広告媒体１の赤外線送信装置１１では、携帯電話２からは赤外線信号（受信許諾信号）が送信された場合に赤外線信号（メニュー画面表示信号）を送信するようにしたが、赤外線送信装置１１の発光部１３から常時赤外線信号（広告情報）が照射されるようにし、携帯電話２が受信許諾信号を送信した時点で携帯電話２の記録部に広告情報が送信されるような構造であってもよい。
【００３３】
また、上記例の赤外線送信装置１１では、水銀電池を駆動用電源として使用したが、車内灯等の光源をエネルギーとして電気を生成する太陽電池をパネル部として前面に設けた構造であってもよい。
【００３４】
上記例では、赤外線通信ポート２１が設けられて赤外線信号の送信が可能な携帯電話を例に説明したが、赤外線通信ポートのない携帯電話でも赤外線送受信用アダプターを取り付けることにより、赤外線信号号の送受信が可能となる。
この赤外線送受信用アダプターは、携帯電話の外部接続端子に接続可能に構成されている。この赤外線送受信用アダプターは携帯電話に内蔵されているものより感度を良好にすることができる。すなわち、送受信の範囲について、携帯電話の赤外線送受信の距離１０〜２０ｃｍを大幅に上回る１０ｍ程度にすることができる。
【００３５】
また、赤外線送信装置１１の読出メモリ１２を書換可能なデバイスで形成し、専用のデータ送信装置（外部）からの赤外線信号の送信により、広告情報に関するデータの書き換えができる構造としてもよい。
【００３６】
また、赤外線送信装置１１側に通信機能を備えた装置を設けることにより、赤外線信号以外の通常の通信信号で読出メモリ１２のデータを書き換えることも可能である。
例えば、赤外線送信装置１１毎にアドレスを持たせた通信装置を設置し、そのアドレスに新データ及び書換実行プログラムを転送するようにすれば、赤外線送信装置側で信号を受信した際にプログラムが自動実行されて、読出メモリ１２のデータを書き換えるようにすることができる。
この場合、赤外線送信装置１１は個別にアドレスを有しているので、赤外線送信装置１１への配信を個別に行うこともできる。また、複数の赤外線送信装置１１に一斉に同じデータを配信することも可能である。
【００３７】
この例によれば、各赤外線送信装置１１の読出メモリ１２におけるデータ書換の有無をアドレスで管理できるので、読出メモリ１２の交換や、現場での赤外線信号の送信で読出メモリ１２のデータを書き換える場合に比較して、書換ミスを少なくすることができる。
また、読出メモリ１２のデータ管理を遠隔操作で行うことができ、効率よく管理できる。
【００３８】
上記構成の広告媒体によれば、赤外線通信ポート２１を有する携帯電話２と赤外線送信装置１１との信号の送受信により、広告情報を携帯電話２の記録部で記録することができるので、広告媒体１の広告表示に関する電子的な広告情報（ホームページアドレス、画像情報等）を携帯電話２側に容易に取り込むことができる。
また、送受信を行う信号を赤外線信号としているので、ペースメーカ等の電子機器に影響を与えることがなく、車内においても他人に迷惑をかけることなく操作を行うことができる。
【００３９】
上述の例では、ポスター状の平面状媒体１０に赤外線送信装置（広告用赤外線送信装置）１１を装着して広告媒体１とする例について説明したが、例えば、清涼飲料水などの自動販売機に赤外線送信装置１１を装着し、自動販売機の周囲で赤外線送信装置から送信された広告情報について、赤外線通信ポートを有する携帯電話で受信するような使用の仕方にも適用することができる。
この場合においても、赤外線送信装置１１の読出メモリ１２を書換可能なデバイスで形成し、赤外線送信装置１１側に通信機能を備えた装置を設けことにより、専用のデータ送信装置（外部）からの通信信号（新データ及び書換実行プログラム）の送信により、読出メモリ１２の広告に関するデータを書き換える構造にすることができる。
【００４０】
また、図６に示した飲食店等の卓上に配置されるメニュー４０のように、卓上に設置可能な媒体の表面に広告表示を行うようにしてもよい。この場合、内部若しくはメニュー表面に赤外線信号を送信可能とする赤外線送信装置１１を設け、この赤外線送信装置１１はメニュー４０に表示されている広告表示に関連する広告情報が記録された読出しメモリを備えている。上記構造の広告媒体によれば、メニュー４０の近傍位置で、赤外線送信装置１１から送信された広告情報について、赤外線通信ポートを有する携帯電話で受信することができる。
【００４１】
更に、任意の場所に設置可能とし、内部に赤外線信号を送信可能とする赤外線送信装置を設けて成り、この赤外線送信装置は所望の広告表示に関連する広告情報が記録された読出しメモリを備えた読出し専用の広告媒体とすることで、例えば図７に示すように、広告表示が行われている街頭モニタ５０等の映像画面の近傍に広告媒体５１を位置させれば、映像画面で表示する広告表示に関連した情報を配信することが可能となる。
すなわち、上記構造の広告媒体５１によれば、街頭モニタ５０の近傍位置で、広告媒体５１の赤外線送信装置１１から送信された広告情報について、赤外線通信ポートを有する携帯電話で受信することができる。
【図面の簡単な説明】
【００４２】
【図１】本発明の広告媒体の正面説明図である。
【図２】本発明の広告システムの構成説明図である。
【図３】車両内における広告媒体の装着例を示すもので、（ａ）は車内状態斜視説明図、（ｂ）は車内壁面部分の断面説明図である。
【図４】広告システムにおける動作を説明するためのフォローチャート図である。
【図５】携帯電話のディスプレイにおける広告情報選択画面を示す画面説明図である。
【図６】広告媒体の他の例を示す斜視説明図である。
【図７】広告媒体の他の例を示す正面説明図である。
【符号の説明】
【００４３】
１  広告媒体
２  携帯電話
１０  平面状媒体
１１  赤外線送信装置（広告用赤外線送信装置）
１２  読出メモリ
１３  発光部
１４  受光部
１５  制御部
２１  赤外線通信ポート
２２  ディスプレイ部
２３  操作キー
３０  壁部
３１  Ｌ字形レール
４０  メニュー
５０  街頭モニタ
【図１】
2005037873.tif 000003
【図２】
2005037873.tif 000004
【図３】
2005037873.tif 000005
【図４】
2005037873.tif 000006
【図５】
2005037873.tif 000007
【図６】
2005037873.tif 000008
【図７】
2005037873.tif 000009